(57)【要約】【課題】  投影面の違いに対応したメニューを投影するようにしたプロジェクタを提供する。【解決手段】  プロジェクタが水平投影を行うときには、水平投影用操作メニューＪがマイクロコンピュータのＲＯＭの操作メニューデータから読み出されてスクリーンに投影される。また、プロジェクタが垂直投影を行うときには、垂直投影用操作メニューＫが上記ＲＯＭの操作メニューデータから読み出されてスクリーンに投影される。【選択図】    図５
2006262037.tif 000002
【特許請求の範囲】
【請求項１】
少なくとも投影部を有し、当該投影部により映像を投影面に投影する投影手段を備えるプロジェクタにおいて、
前記投影手段の投影方向を判定する投影方向判定手段と、
前記投影手段により投影される映像として、前記プロジェクタ内部で生成されるメニュー映像を、前記投影方向判定手段により判定された投影方向に対応するように生成するメニュー映像生成手段とを備えることを特徴とするプロジェクタ。
【請求項２】
操作手段を備えて、
前記メニュー映像生成手段は、前記投影手段により投影される映像として、少なくとも前記操作手段の操作の補助を行うメニュー映像を、前記投影方向判定手段により判定された投影方向に対応するように生成するメニュー映像生成手段であることを特徴とする請求項１に記載のプロジェクタ。
【請求項３】
前記投影方向判定手段は、
重力方向を検出する重力センサを備えて、
この重力センサにより検出される重力方向に基づいて、前記投影手段の投影方向を判定することを特徴とする請求項１或いは２に記載のプロジェクタ。
【請求項４】
前記メニュー映像を表すデータを記憶する記憶手段を備えて、
前記メニュー映像は、前記投影面が水平位置にあるときに対応する水平投影用メニューと、前記投影面が垂直位置にあるときに対応する垂直投影用メニューとでもって構成されていることを特徴とする請求項１乃至３のいずれか１つに記載のプロジェクタ。
【請求項５】
前記操作メニューを表すデータを記憶する記憶手段を備えて、
前記メニュー映像は、前記投影面が水平位置にあるときのみに対応する水平投影用メニューと、前記投影面が垂直位置にあるときのみに対応する垂直投影用メニューと、前記投影面が水平位置及び垂直位置のいずれにあるときにも共通な共通メニューとでもって構成されていることを特徴とする請求項１或いは２に記載のプロジェクタ。
【発明の詳細な説明】
【技術分野】
【０００１】
本発明は、プロジェクタに関するものである。
【背景技術】
【０００２】
従来、この種のプロジェクタにおいては、下記特許文献１に開示された投影表示装置がある。この投影表示装置は、映像を操作メニューとともにスクリーンに投影するように構成されている。
【特許文献１】特開２００３−２８００９１号公報
【発明の開示】
【発明が解決しようとする課題】
【０００３】
ところで、上記投影表示装置では、スクリーンが机上等の水平位置や部屋の壁面等の垂直位置にあっても、操作メニューは同一である。
【０００４】
従って、スクリーンが水平位置及び垂直位置のいずれに配置されていても、操作メニューのうち投影不要なメニューが存在することとなる。
【０００５】
このことは、操作メニューが、スクリーンの位置に依っては不要なメニューを含むことを意味する。従って、上述のように、スクリーンの位置を考慮することなく、操作メニューが同一である場合、使用者にとって煩雑さを招きプロジェクタを利用しにくいという不具合がある。
【０００６】
そこで、本発明は、以上のようなことに対処するため、投影面の違いに対応したメニューを投影するようにしたプロジェクタを提供することを目的とする。
【課題を解決するための手段】
【０００７】
上記課題の解決にあたり、本発明に係るプロジェクタは、請求項１の記載によれば、
少なくとも投影部（１２０、Ｈ２）を有し、当該投影部により映像を投影面（Ｓ）に投影する投影手段（Ｈ、Ｕ、７０、８０、９０、Ｅ）を備える。
【０００８】
当該プロジェクタにおいて、投影手段の投影方向を判定する投影方向判定手段（２０ａ、２３０）と、
投影手段により投影される映像として、プロジェクタ内部で生成されるメニュー映像を、投影方向判定手段により判定された投影方向に対応するように生成するメニュー映像生成手段（２３１、２３２、２４０、２５０、２５１、２６１、２７２、２８１、２８２）とを備えることを特徴とする。
【０００９】
このように、投影手段により投影される映像として、プロジェクタ内部で生成されるメニュー映像を、投影方向判定手段により判定された投影方向に対応するように生成するようにした。従って、投影方向、換言すれば、投影面の位置に合わせるように生成したメニューをメニュー映像として投影することとなる。
【００１０】
このため、当該メニューは、不要なメニューに相当するメニュー項目を含んでおらず、見易い。よって、不要なメニューを誤って選択すること等の発生を未然に防止し得る。その結果、当該プロジェクタの利用がより一層容易になされ得る。
【００１１】
また、本発明は、請求項２の記載によれば、請求項１に記載のプロジェクタにおいて、
操作手段（Ｐ）を備えて、上記メニュー映像生成手段は、投影手段により投影される映像として、少なくとも操作手段の操作の補助を行うメニュー映像を、投影方向判定手段により判定された投影方向に対応するように生成するメニュー映像生成手段（２３１、２３２、２４０、２５０、２５１）であることを特徴とする。
【００１２】
このように、投影手段により投影される映像として、少なくとも操作手段の操作の補助を行うメニュー映像を、投影方向判定手段により判定された投影方向に対応するように生成するようにした。
【００１３】
従って、投影方向、換言すれば、投影面の位置に合わせるように生成した操作手段の操作の補助を行うメニューをメニュー映像として投影することとなる。
【００１４】
このため、当該メニューは、不要なメニューに相当するメニュー項目を含んでおらず、見易い。よって、不要なメニューを誤って選択すること等の発生を未然に防止し得る。その結果、当該プロジェクタの利用がより一層容易になされ得る。
【００１５】
また、本発明は、請求項３の記載によれば、請求項１或いは２に記載のプロジェクタにおいて、投影方向判定手段は、
重力方向を検出する重力センサ（２０ａ）を備えて、
この重力センサにより検出される重力方向に基づいて、前記投影手段の投影方向を判定することを特徴とする。
【００１６】
このように、重力センサの検出重力方向に基づき、投影方向、換言すれば、投影面の位置について判定し、この判定結果に対応するように上記メニューを生成して当該投影面に投影する。その結果、請求項１或いは２に記載の発明の作用効果がより一層具体的に達成され得る。
【００１７】
また、本発明は、請求項４の記載によれば、請求項１乃至３のいずれか１つに記載のプロジェクタにおいて、
メニュー映像を表すデータを記憶する記憶手段（２０）を備えて、
上記メニュー映像は、上記投影面が水平位置にあるときに対応する水平投影用メニューと、上記投影面が垂直位置にあるときに対応する垂直投影用メニューとでもって構成されていることを特徴とする。
【００１８】
これにより、メニュー映像生成手段は、水平投影用メニュー及び垂直投影用メニューのうち上記判定投影方向に対応するメニューを、投影手段により投影される映像として生成する。その結果、請求項１〜３のいずれか１つに記載の発明の作用効果がより一層具体的に達成され得る。
【００１９】
また、本発明は、請求項５の記載によれば、請求項１或いは２に記載のプロジェクタにおいて、
上記操作メニューを表すデータを記憶する記憶手段（２０）を備えて、
上記メニュー映像は、上記投影面が水平位置にあるときのみに対応する水平投影用メニューと、上記投影面が垂直位置にあるときのみに対応する垂直投影用メニューと、上記投影面が水平位置及び垂直位置のいずれにあるときにも共通な共通メニューとでもって構成されていることを特徴とする。
【００２０】
これにより、メニュー映像生成手段は、水平投影用メニュー、垂直投影用メニュー或いは共通メニューを、投影手段により投影される映像として生成する。その結果、プロジェクタの設置状態により一層適応した見易いメニュー表示が可能となる。
【００２１】
なお、上記各手段の括弧内の符号は、後述する実施形態に記載の具体的手段との対応関係を示すものであるが、当該実施形態に限られるものではない。
【発明を実施するための最良の形態】
【００２２】
以下、本発明の各実施形態を図面により説明する。
（第１実施形態）
図１及び図２は、本発明が適用される卓上型プロジェクタの第１実施形態を示している。このプロジェクタ（以下、プロジェクタＰＪともいう）は、ハウジングＨを備えており、当該ハウジングＨは、その底壁Ｈ１にて、図１にて示すごとく、机１０の端部上に立設されている。
【００２３】
当該プロジェクタＰＪは、図１或いは図２にて示すごとく、操作パネルＰ、制御ユニットＵ、ランプ７０、照明光学系８０、透過型液晶パネル９０及び結像光学系Ｅを備えている。
【００２４】
操作パネルＰは、ハウジングＨの上壁でもって構成されており、当該操作パネルＰは、複数の押動型操作キーを備えている。当該複数の押動型操作キーは、操作メニュー表示キーＰ１、上キーＰ２、下キーＰ３、左キーＰ４、右キーＰ５及び決定キーＰ６でもって構成されている。
【００２５】
操作メニュー表示キーＰ１は、スクリーンＳに操作メニューを投影するときに押動操作される。なお、当該スクリーンＳは、机１０の中央上に載置されている。但し、スクリーンＳに代えて、映像を机上に直接投影するようにしてもよい。また、壁やボードに設けたスクリーンに投影する場合でも、当該スクリーンに代えて、映像を壁やボードに直接投影するようにしてもよい。
【００２６】
また、以下に説明するように、操作パネルＰの各キーは上記選択候補をどちら方向へ移動するかのキーとなっており、決定キーで選択決定され新たな操作に対する設定となる。なお、操作パネルＰによる操作の設定済みの状態が分かるように表示されるとともに、操作メニュー中のメニュー項目の選択候補も区別可能な状態で表示（色が違うだけでなく、点滅している）されるようになっている。
【００２７】
即ち、上キーＰ２は、選択候補を、上記操作メニュー中の上側に位置するメニュー項目に移すときに押動操作される。下キーＰ３は、選択候補を、上記操作メニュー中の下側に位置するメニュー項目に移すときに押動操作される。
【００２８】
左キーＰ４は、選択候補を、上記操作メニュー中の左側に位置するメニュー項目に移すときに押動操作される。右キーＰ５は、選択候補を、上記操作メニュー中の右側に位置するメニュー項目に移すときに押動操作される。
【００２９】
決定キーＰ６は、上キーＰ２、下キーＰ３、左キーＰ４及び右キーＰ５のうちの少なくとも１つの操作でもって操作メニュー中のメニュー項目の選択候補の選択を終了したときに押動操作される。
【００３０】
制御ユニットＵは、図１にて示すごとく、ランプ７０、照明光学系８０、透過型液晶パネル９０及び結像光学系Ｅと共に、ハウジングＨに内蔵されており、この制御ユニットＵは、ハウジングＨの下部内に配設されている。
当該制御ユニットＵは、図３にて示すごとく、操作パネルＰと、ランプ７０と、透過型液晶パネル９０（以下、ＬＣＤ９０ともいう）との間に接続されている。
【００３１】
この制御ユニットＵは、マイクロコンピュータ２０及び重力センサ２０ａを備えている。マイクロコンピュータ２０は、図３にて示すごとく、バスラインを介し接続してなるＣＰＵ、ＲＯＭ及びＲＡＭを備えており、このマイクロコンピュータ２０は、そのＣＰＵにより、図４にて示すフローチャートに従い、コンピュータプログラムを実行する。
【００３２】
この実行中において、マイクロコンピュータ２０は、そのＣＰＵにより、ランプ駆動回路４０の駆動制御、操作パネルＰの操作入力に基づく操作メニュー表示指令、重力センサ２０ａにより検出される重力方向に基づく投影方向判定やこの判定に基づくメニュー項目の選択処理等の各種の処理を行う。なお、上記コンピュータプログラムは、マイクロコンピュータ２０のＲＯＭに当該マイクロコンピュータにより読み出し可能に予め記憶されている。
【００３３】
重力センサ２０ａは、図１にて例示するごとく、ハウジングＨ内にて支持されており、この重力センサ２０ａは、当該プロジェクタＰＪ内の設置箇所において重力方向を検出する。具体的には、当該重力方向は、プロジェクタＰＪに設定される基準軸となす角度でもって重力センサ２０ａによって検出される。なお、上記基準軸は、例えば、当該プロジェクタＰＪの中心軸をいう。
【００３４】
映像信号入力回路５０は、映像信号を外部回路（図示しない）から入力されて画像処理回路３０に所定の形式の映像信号として出力する。
【００３５】
画像処理回路３０は、マイクロコンピュータ２０の指令に従い映像信号入力回路５０から入力される上記映像信号に対し、信号の付加或いは変更を行うとともに、付加或いは変更を行った映像信号をＬＣＤ駆動回路６０に出力する。
【００３６】
また、この画像処理回路３０は、マイクロコンピュータ２０の操作メニュー表示の指令に従い操作メニューの映像信号の生成を行うとともに、映像信号入力回路５０から入力される上記映像信号に代えて、当該操作メニューの映像信号をＬＣＤ駆動回路６０に出力する。
【００３７】
ランプ７０、照明光学系８０及び透過型液晶パネル９０は、図１にて示すごとく、制御ユニットＵの直上にて、ハウジングＨの上部内に配設されている。ランプ７０は、マイクロコンピュータ２０による制御のもと、ランプ駆動回路４０により点灯駆動されて発光し照明光学系８０に光を出射する。
【００３８】
照明光学系８０は、図１にて示すごとく、コンデンサレンズ８１、反射ミラー８２、リレーレンズ系８３及び反射ミラー８４を備えている。コンデンサレンズ８１は、ランプ７０から出射される光を集光して反射ミラー８２に向けて出射する。
【００３９】
反射ミラー８２は、コンデンサレンズ８１及びリレーレンズ系８３の双方を臨むように配設されており、当該反射ミラー８２は、コンデンサレンズ８１から出射される光を反射してリレーレンズ系８３に入射する。
【００４０】
このリレーレンズ系８３は、凹レンズ８３ａ及び両凸レンズ８３ｂ、８３ｃを同軸的に配列してなるもので、当該リレーレンズ系８３は、反射ミラー８２からの反射光を、凹レンズ８３ａ及び両凸レンズ８３ｂ、８３ｃにより、平行光として反射ミラー８４に向け出射する。反射ミラー８４は、凸レンズ８３ｃ及び液晶パネル９０の双方を臨むように配設されており、この反射ミラー８４は、リレーレンズ系８３からの出射光を反射し光束状の照明光としてＬＣＤ９０に入射する。
【００４１】
ＬＣＤ９０は、ＬＣＤ駆動回路６０により駆動されて、照明光学系８０から入射される光束状の照明光に基づき映像を光として出射する。このことは、ＬＣＤ９０が、その表示面にて上記映像を表示することを意味する。
【００４２】
結像光学系Ｅは、図１にて示すごとく、凸レンズ１００、両凹レンズ１１０ａ、１１０ｂ及び投影レンズ１２０でもって構成されており、当該結像光学系Ｅは、その投影レンズ１２０のうち図１にて図示約左半分部分にて、ハウジングＨの開口部Ｈ２を通して、机１０上のスクリーンＳに対向している。
【００４３】
しかして、結像光学系Ｅは、ＬＣＤ９０から出射される光をハウジングＨの開口部Ｈ２を通してスクリーンＳに投光する。このことは、ＬＣＤ９０の表示映像がスクリーンＳに投影されることを意味する。なお、開口部Ｈ２は、ハウジングＨの上部に下方に向けて開口するように形成されている。
【００４４】
このように構成した本第１実施形態において、当該プロジェクタＰＪの作動を、その配設位置に応じて説明する。
１．当該プロジェクタＰＪが上述のように机１０上に立設されている場合
制御ユニットＵが作動状態になると、マイクロコンピュータ２０は、そのＣＰＵにより、図４のフローチャートに従いコンピュータプログラムの実行を開始する。なお、上記外部回路から出力される映像信号は映像信号入力回路５０を介し所定の信号形式（例えばＲＧＢ信号）に変換されて画像処理回路３０に入力される。また、重力センサ２０ａは、制御ユニットＵの作動の開始にあわせて重力方向の検出を開始する。
【００４５】
上述のようにマイクロコンピュータ２０がそのＣＰＵによりコンピュータプログラムの実行を開始すると、図４のステップ２００において、ランプ点灯制御処理がなされる。このランプ点灯制御処理に伴い、ランプ駆動回路４０は、マイクロコンピュータ２０によりそのＣＰＵでもって駆動制御されてランプ７０を点灯させる。これに伴い、照明光学系８０が、ランプ７０の出射光を光束状の照明光としてＬＣＤ９０に出射する。
【００４６】
ステップ２００の処理後、ランプ７０の出射光の安定するのを待って、ステップ２１０において、画像処理回路３０に対する映像出力指令処理がなされる。この映像出力指令処理のもと、画像処理回路３０は、映像信号入力回路５０からの映像信号に基づき映像を表す映像表示データを作成してＬＣＤ駆動回路６０に出力する。
【００４７】
ついで、この出力に基づき、ＬＣＤ９０は、当該ＬＣＤ駆動回路６０により表示駆動されて、照明光学系８０からの光束状の照明光に基づき、上記映像表示データを光として出射する。このことは、当該ＬＣＤ９０は、その表示面にて、上記映像表示データに基づき、上記映像を表示することを意味する。
【００４８】
上述のようにＬＣＤ９０が上記映像表示データを光として出射すると、この光は、結像光学系ＥによりハウジングＨの開口部Ｈ２を通してスクリーンＳに投光される。これにより、上述した映像が、例えば、「ＡＦ」として、スクリーンＳに投影される（図６参照）。なお、現段階では、映像「ＡＦ」は、図６にて示すごとく、机１０に対し着座姿勢で対向する操作者Ｍの正対視方向から反時計方向に９０°回転した状態で投影されるものとする。
【００４９】
このような状態において、操作パネルＰの操作メニュー表示キーＰ１が操作者Ｍ（図６参照）により押動操作されると、図４のステップ２２０においてＹＥＳと判定され、次のステップ２２１において、検出重力方向入力処理がなされる。この検出重力方向入力処理では、ステップ２２０におけるＹＥＳとの判定直後において重力センサ２０ａにより検出される重力方向がマイクロコンピュータ２０に入力されてそのＲＡＭに記憶される。
【００５０】
なお、重力センサ２０ａの出力がアナログ出力である場合には、このアナログ出力は、Ａ−Ｄコンバータ（図示しない）でデジタル変換され、予め設定された参照値と比較されて重力方向として検出されて上記ＲＡＭに記憶される。
【００５１】
然る後、ステップ２３０において、水平投影か否かの判定がなされる。具体的には、水平投影か否かは、重力センサ２０ａによる検出重力方向に基づき判定される。
【００５２】
しかして、例えば、図１及び図２で示すように当該プロジェクタＰＪが机１０上に立設されているとき、当該プロジェクタＰＪの基準軸は垂直方向に向いていることから、当該プロジェクタＰＪは水平投影にある。また、当該プロジェクタＰＪが壁面に対しこれに直角に設けられているときには、当該プロジェクタＰＪは垂直投影にある。
【００５３】
本第１実施形態では、図１及び図２にて示すごとく当該プロジェクタＰＪが机１０上に立設されている。従って、当該プロジェクタＰＪは水平投影を行っていることから、重力センサ２０ａによる検出重力方向に基づき、ステップ２３０においてＹＥＳと判定される。これに伴い、ステップ２３１において、水平投影用操作メニューＪ（図５（ａ）参照）が、マイクロコンピュータ２０のＲＯＭに予め記憶してなる操作メニューデータから選択されて読み出される。
【００５４】
本第１実施形態では、水平投影用操作メニューＪは、垂直投影用操作メニューＫ（図５（ｂ）参照）と共に、上記操作メニューデータとしてマイクロコンピュータ２０のＲＯＭに予め記憶されている。
【００５５】
ここで、水平投影用操作メニューＪは、図５（ａ）で示すごとく、水平投影の際に必要となる「上下反転」及び「９０°回転」、並びに「分割表示」、この分割表示における「分割数−２、３、４」、「並べて表示」及び「上下反転」からなる複数のメニュー項目でもって構成されている。
【００５６】
また、垂直投影用操作メニューＫは、図５（ｂ）にて示すごとく、垂直投影の際に必要となる「上下反転」、「左右反転」及び「９０°回転」、並びに「分割表示」、この分割表示における「分割数−２、４」、「並べて表示」及び「左右反転」でもって構成されている。
【００５７】
なお、垂直投影用操作メニューＫにおいて、メニュー項目「左右反転」は、スクリーンＳの投影面に投影した映像をスクリーンＳの投影面の裏側から視認する場合に必要とされる。
【００５８】
しかして、上述のようにステップ２３１において水平投影用操作メニューＪが選択されると、ステップ２４０において、選択操作メニューの出力処理がなされる。この出力処理では、水平投影用操作メニューＪがデータとして画像処理回路３０に出力される。
【００５９】
すると、この画像処理回路３０は、水平投影用操作メニューＪを表すデータを操作メニュー表示データして生成し、ＬＣＤ駆動回路６０に出力する。これに伴い、ＬＣＤ９０は、照明光学系８０からの光束状の照明光でもって、上記操作メニュー表示データを光として出射する。
このことは、当該ＬＣＤ９０は、その表示面にて、上記操作メニュー表示データに基づき、水平投影用操作メニューＪを上記表示映像「ＡＦ」と共に表示することを意味する。
【００６０】
上述のようにＬＣＤ９０が上記操作メニュー表示データを光として出射すると、この光は、結像光学系ＥによりハウジングＨの開口部Ｈ２を通してスクリーンＳに投光される。これにより、上述した水平投影用操作メニューＪが、上述した表示映像、例えば、「ＡＦ」と共に、スクリーンＳに投影される（図７参照）。なお、図７では、上述した表示映像の記載は省略されている。また、上述した水平投影用操作メニューＪが表示映像「ＡＦ」と共に表示されることは必須ではない。
【００６１】
ステップ２４０の処理後、ステップ２５０において、投影された操作メニュー中のメニュー項目の選択か否かが判定される。現段階において、上述のように投影された水平投影用操作メニューＪのうちのメニュー項目が操作者Ｍにより操作パネルＰの操作でもって選択される。
【００６２】
例えば、現段階において、上述のように投影された水平投影用操作メニューＪのうち、「分割数−２」が操作パネルＰの操作でもって選択されていたものとする。このような状態から、例えば「９０°反転」を選択するように操作パネルＰを操作すると、上記投影水平投影用操作メニューＪにおいて選択メニュー項目が、カーソルの移動により、「上下反転」（図７にて図示長方形の枠で囲う領域参照）から「９０°反転」（図７にて図示網掛け領域参照）に移行する。これに伴い、ステップ２５０においてＹＥＳと判定される。
【００６３】
ここで、上述のようにスクリーンＳに投影された水平投影用操作メニューＪは、スクリーンＳが水平位置にある場合の水平投影の際に必要となるメニュー項目しか含んでいない。このため、水平投影の際の操作パネルＰの操作が誤操作を伴うことなく容易にしかも確実になされ得る。
【００６４】
しかして、ステップ２５０における判定が上述のようにＹＥＳになると、ステップ２５１において、選択メニュー項目の実行指令処理が画像処理回路３０に対しなされる。
【００６５】
この実行指令処理では、映像「ＡＦ」が、図６にて示すごとく、操作者Ｍにとって反時計方向に９０°回転した状態にあるために、上述のように選択メニュー項目が「９０°回転」であれば、映像「ＡＦ」を９０°回転させる指令処理が画像処理回路３０に対しなされる。
【００６６】
これに伴い、画像処理回路３０が、上記映像表示データを９０°回転させてＬＣＤ駆動回路６０に出力する。このため、映像「ＡＦ」は、ＬＣＤ９０により、図６の操作者Ｍにとって正対視できる向きでスクリーンＳに投影される。
【００６７】
上述したステップ２５１における選択メニュー項目の実行指令処理にあたり、水平投影用操作メニューＪにおける選択メニュー項目が、上述のように「９０°反転」ではなく、「分割表示」であれば、分割数「２」或いは「４」が水平投影用操作メニューＪから操作者Ｍにより操作パネルＰの操作でもって上述と同様のカーソルの移動のもとに選択される。なお、現段階において、操作者Ｍ１が、図８にて示すごとく、机１０を介し操作者Ｍに対向して着座したとすれば、上記選択分割数は「２」以上の偶数が好ましい。
【００６８】
ついで、上述のように分割数が選択された後は、分割表示に伴う水平投影用操作メニューＪ中のメニュー項目が操作者により操作パネルＰの操作でもって選択される。
【００６９】
ここで、上述のようにスクリーンＳに投影された水平投影用操作メニューＪの分割表示は、スクリーンＳが水平位置にある場合の水平投影の際の分割表示に必要となるメニュー項目しか含んでいない。このため、水平投影の際の分割表示に必要な操作パネルＰの操作が誤操作を伴うことなく容易にしかも確実になされ得る。
【００７０】
しかして、上述のような「分割表示」、選択分割数「２」及び選択メニュー項目のもとに実行指令処理が画像処理回路３０に対しなされる。
【００７１】
この実行指令処理において、上述のように分割数が「２」であるために、選択メニュー項目が「上下反転」であれば、両映像「ＡＦ」が、図８にて示すごとく、当該プロジェクタＰＪでもって、それぞれ、両操作者Ｍ、Ｍ１の各正対視方向にて分割投影される。
【００７２】
以上説明したように、水平投影用操作メニューＪは、上述のごとく、水平投影の際に必要となる複数のメニュー項目で構成されている。従って、当該水平投影用操作メニューＪは、垂直投影にのみ必要とされるメニュー項目を含んでおらず、見易く操作もし易い。
【００７３】
よって、垂直投影にのみ必要とされるメニュー項目を誤って選択する等の操作パネルＰの誤操作の発生を未然に防止しつつ、容易にかつ的確に水平投影用操作メニューＪ中のメニュー項目を操作パネルＰの操作により選択できる。その結果、当該プロジェクタＰＪの利用がより一層容易になされ得る。
２．当該プロジェクタＰＪが、そのハウジングＨにて、図９にて示すごとく、図１及び図２とは異なり、床に対し垂直状のボードＢに、その表面から水平方向に配設されている場合
この場合には、スクリーンＳは、図９にて示すごとく、透明のボードＢの表面に固定されている。なお、ボードＢは、図９にて示すごとく、床に対し垂直状に枠体Ｗにて支持されている。
【００７４】
上述と同様にコンピュータプログラムがステップ２２１（図４参照）に進むと、このステップ２２１の処理直前において重力センサ２０ａにより検出された重力方向がマイクロコンピュータ２０のＲＡＭに入力される。
【００７５】
現段階では、当該プロジェクタＰＪの基準軸が水平方向に向いていることから、当該プロジェクタＰＪは垂直投影にある。このため、上述のようにＲＡＭに入力された重力方向に基づき、ステップ２３０（図４参照）においてＮＯと判定される。これに伴い、次のステップ２３２において、垂直投影用操作メニューＫのデータが、マイクロコンピュータ２０のＲＯＭに記憶してある操作メニューデータから選択されて読み出される。
【００７６】
しかして、このようにして垂直投影用操作メニューＫのデータが選択されて読み出されると、ステップ２４０において、選択操作メニューの出力処理がなされる。この出力処理では、垂直投影用操作メニューＫのデータが画像処理回路３０に出力される。
【００７７】
すると、この画像処理回路３０は、垂直投影用操作メニューＫのデータに基づいて操作メニュー表示データを生成し、ＬＣＤ駆動回路６０に出力する。これに伴い、ＬＣＤ９０は、照明光学系８０からの光束状の照明光でもって、上記操作メニュー表示データを光として出射する。
【００７８】
上述のようにＬＣＤ９０が上記操作メニュー表示データを光として出射すると、この光は、結像光学系ＥによりハウジングＨの開口部Ｈ２を通してスクリーンＳに投光される。これにより、上述した垂直投影用操作メニューＫが、スクリーンＳに投影される（図１０参照）。
【００７９】
ここで、上述のようにスクリーンＳに投影された垂直投影用操作メニューＫは、スクリーンＳが垂直位置にある場合の垂直投影の際に必要となるメニュー項目しか含んでいない。このため、垂直投影の際の操作パネルＰの操作が誤操作を伴うことなく容易にしかも確実になされ得る。
【００８０】
ステップ２４０の処理後、ステップ２５０において、上述した垂直投影用操作メニューＫのうちのメニュー項目の選択がなされているか否かが判定される。ここで、当該メニュー項目の選択がなされていれば、ステップ２５０においてＹＥＳと判定され、ステップ２５１において選択メニュー項目の実行指令処理が画像処理回路３０に対しなされる。
【００８１】
この実行指令処理では、映像「ＡＦ」が、図９にて示すごとく、操作者Ｍにとって正対視できるように投影されている。しかし、当該映像「ＡＦ」は、ボードＢの裏面側から見るに際しては左右逆になって見える。
【００８２】
このため、選択メニュー項目の「左右反転」が選択されれば、映像「ＡＦ」を左右反転する指令処理が画像処理回路３０に対しなされる。これに伴い、画像処理回路３０は、上記映像表示データを左右反転させて出力する。従って、映像「ＡＦ」は、ボードＢの裏面側から見て正対視できる向きでスクリーンＳに投影される。
【００８３】
上述したステップ２５１における選択メニュー項目の実行指令処理にあたり、垂直投影用操作メニューＫにおける選択メニュー項目が「分割表示」であれば、例えば、分割数「２」（図１０にて図示長方形の枠による包囲領域参照）が垂直投影用操作メニューＫから操作者Ｍにより操作パネルＰの操作でもって選択される。ついで、分割表示に伴う垂直投影用操作メニューＫ中のメニュー項目、例えば、「並べて表示」（図１０にて図示網掛け領域参照）が、操作者により操作パネルＰの操作でもって選択される。
【００８４】
ここで、上述のようにスクリーンＳに投影された垂直投影用操作メニューＫの「分割表示」は、スクリーンＳが垂直位置にある場合の垂直投影の際の分割表示に必要となるメニュー項目しか含んでいない。このため、垂直投影の際の分割表示に必要な操作パネルＰの操作が誤操作を伴うことなく容易にしかも確実になされ得る。
【００８５】
しかして、上述のような「分割表示」、選択分割数「２」及び選択メニュー項目のもとに実行指令処理が画像処理回路３０に対しなされる。
【００８６】
この実行指令処理では、上述のように選択分割数が「２」であること及び選択メニュー項目が「並べて表示」であることから、画像処理回路３０による処理のもと、両映像「ＡＦ」が、当該プロジェクタＰＪでもって、左右に並んで分割投影される。
【００８７】
以上説明したように、垂直投影用操作メニューＫは、上述のごとく、垂直投影の際に必要となる複数のメニュー項目で構成されている。従って、当該水平投影用操作メニューＪは、水平投影にのみ必要とされるメニュー項目を含んでおらず、見易い。
【００８８】
よって、水平投影にのみ必要とされるメニュー項目を誤って選択する等の操作パネルＰの誤操作の発生を未然に防止しつつ、垂直投影用操作メニューＫ中のメニュー項目を容易にかつ的確に操作パネルＰの操作により選択できる。その結果、垂直投影の際にも、当該プロジェクタＰＪの利用がより一層容易になされ得る。
【００８９】
なお、本第１実施形態では、スクリーンＳは透明のボードＢに固定されているが、白板や黒板などスクリーンＳを固定できれば何でもよく、スクリーンＳも反対側（裏側）から見えないようなスクリーンであってもよいことはいうまでもない。
（第２実施形態）
図１１〜図１３は、本発明の第２実施形態の要部を示している。この第２実施形態では、上記第１実施形態にて述べた操作パネルＰには、共通メニューキー（図示せず）が確認キー（図示せず）と共に付加的に設けられており、上記共通メニューキーは、後述する操作メニューデータのうちの共通操作メニューを選択するときに操作される。また、上記確認キーは、操作入力や各種設定の確認処理の際に押動操作される。
【００９０】
また、本第２実施形態では、上記第１実施形態にて述べたフローチャート（図４参照）に代えて、図１１及び図１２にて示すフローチャートが採用されている。
【００９１】
また、本第２実施形態では、操作メニューデータが、上記第１実施形態にて述べた操作メニューデータ（図５（ａ）、（ｂ）参照）とは異なり、図１３（ａ）〜（ｃ）にて示す共通メニューＬ、水平投影用操作メニューＪ１及び垂直投影用操作メニューＫ１でもって構成されている。
【００９２】
ここで、共通メニューＬは、水平投影及び垂直投影には依存しないメニューで構成されている。具体的には、共通メニューＬは、図１３（ａ）にて示すごとく、「電源オフ」及び「電源スタンバイ」、並びに「タイマー：オフ」、「タイマー：３０分後オフ」「タイマー：６０分後オフ」等、水平投影、垂直投影に関係なく必要とされる複数のメニュー項目でもって構成されている。
【００９３】
また、水平投影用操作メニューＪ１は、水平投影のみに投影されるメニューで構成されている。具体的には、当該水平投影用操作メニューＪ１は、図１３（ｂ）にて示すごとく、「上下反転」、「９０°回転」、「分割表示」、この分割表示における「分割数−２、３、４」、「並べて表示」及び「上下反転」からなる複数のメニュー項目で構成されている。
【００９４】
また、垂直投影用操作メニューＫ１は、垂直投影のみに投影されるメニューで構成されている。具体的には、当該垂直投影用操作メニューＫ１は、図１３（ｃ）にて示すごとく、「上下反転」、「９０°回転」、「左右反転」並びに「分割表示」、この分割表示における「分割数−２、４」及び「左右反転」からなる複数のメニュー項目で構成されている。
【００９５】
なお、本第２実施形態の共通メニューデータ及び操作メニューデータ（図１３参照）も、上記第１実施形態にて述べた操作メニューデータと同様に、マイクロコンピュータ２０のＲＯＭに予め記憶されている。その他の構成は上記第１実施形態と実質的に同様である。
【００９６】
このように構成した本第２実施形態では、上記第１実施形態にて述べたステップ２２０（図４及び図１１参照）において、操作メニュー表示キーＰ１の操作か否かが判定される。
【００９７】
ここで、ステップ２２０において、操作メニュー表示キーＰ１の操作に基づきＹＥＳと判定されると、ステップ２６０以後の処理がなされる。一方、操作メニュー表示キーＰ１が操作されていないために、ステップ２２０における判定がＮＯとなる場合には、ステップ２２２以後（図１２参照）の処理がなされる。
【００９８】
しかして、上述のようにステップ２２０においてＹＥＳと判定されると、次のステップ２６０において上記共通メニューキーの操作か否かが判定される。現段階にて、上記共通メニューキーが操作されていれば、ステップ２６０においてＹＥＳと判定される。これに伴い、ステップ２６１において、共通メニューの選択処理がなされる。
【００９９】
この選択処理では、共通メニューＬがマイクロコンピュータ２０のＲＯＭに記憶済みのメニューデータから選択されて読み出され当該マイクロコンピュータ２０のＲＡＭに入力される。
【０１００】
また、上記共通メニューキーが操作されていなければ、ステップ２６０における判定はＮＯとなる。これに伴い、上記第１実施形態にて述べたと同様に、各ステップ２２１、２３０、２３１及び２４０を通る処理或いは各ステップ２２１、２３０、２３２及び２４０を通る処理がなされる。
【０１０１】
しかして、上述のように各ステップ２２１、２３０、２３１及び２４０を通る処理において、ステップ２３１における処理に伴いステップ２４０の処理がなされる場合には、水平投影用操作メニューＪ１が、マイクロコンピュータ２０のＲＯＭに記憶済みの操作メニューデータから選択されて読み出され当該マイクロコンピュータ２０のＲＡＭに入力される。
【０１０２】
また、上述のように各ステップ２２１、２３０、２３２及び２４０を通る処理において、ステップ２３２における処理に伴いステップ２４０の処理がなされる場合には、垂直投影用操作メニューＫ１が、マイクロコンピュータ２０のＲＯＭに記憶済みの操作メニューデータから選択されて読み出され当該マイクロコンピュータ２０のＲＡＭに入力される。
【０１０３】
以上のようにして、水平投影用操作メニューＪ１或いは垂直投影用操作メニューＫ１が、画像処理回路３０にデータとして出力される。
【０１０４】
すると、当該画像処理回路３０による処理のもと、水平投影用操作メニューＪ１或いは垂直投影用操作メニューＫ１が、上記第１実施形態にて述べたと同様にスクリーンＳ上に投影される。
【０１０５】
上述のようにステップ２４０における処理が終了すると、ステップ２５０において、投影されたメニュー中のメニュー項目の選択か否かが判定される。現段階において、この判定がＹＥＳになると、ステップ２５１において選択メニューの実行指令処理が画像処理回路３０に対しなされる。
【０１０６】
ここで、例えば、上述と同様に、選択メニュー項目の「９０°回転」が選択されれば、画像処理回路３０による処理のもと、映像が９０°回転されてスクリーンＳに投影される。
一方、上述のように操作メニュー表示キーＰ１が操作されておらず、代わりに確認キーが押動操作されている場合には、ステップ２２０における判定がＮＯとなり、ステップ２２２（図１２参照）において、操作入力内容の確認処理がなされる。
本第２実施形態において、当該操作入力内容は、操作パネルＰの操作入力キーに依らないメニュー（以下、非操作メニューという）に相当する。この非操作メニューは、共通非操作メニュー、水平投影用非操作メニュー及び垂直投影用非操作メニューでもって構成されて、非操作メニューデータとしてマイクロコンピュータ２０のＲＯＭに予め記憶されている。
【０１０７】
なお、非操作メニューは、例えば、アラームメニュー（使用上の注意、操作説明、異常時の緊急通知など）をいい、このアラームメニューは、共通非操作メニュー、水平投影用非操作メニュー及び垂直投影用非操作メニューにそれぞれ相当する共通アラームメニュー、水平投影用アラームメニュー及び垂直投影用アラームメニューでもって構成されている。
【０１０８】
ついで、ステップ２７０において、共通非操作メニューの選択か否かが判定される。しかして、ステップ２２２で確認された操作入力内容が上記共通非操作メニューの例である共通アラームメニューであれば、ステップ２７０にてＹＥＳと判定され、然る後、ステップ２７２において、共通非操作メニューの選択処理がなされる。
【０１０９】
すると、上記共通アラームメニューがマイクロコンピュータ２０のＲＯＭに記憶済みの非操作メニューデータから選択されて読み出され当該マイクロコンピュータ２０のＲＡＭに入力される。
【０１１０】
また、ステップ２２２での確認処理内容が共通非操作メニューでなければ、ステップ２７０においてＮＯと判定される。これに伴い、ステップ２７１において、検出重力方向の入力処理がなされる。この入力処理では、現段階において重力センサ２０ａにより検出される重力方向がマイクロコンピュータ２０のＲＡＭに入力される。
【０１１１】
ついで、ステップ２８０において、水平投影か否かが判定される。ここで、水平投影であれば、ステップ２３０と同様にステップ２８０における判定はＹＥＳとなる。一方、水平投影でなければ、ステップ２３０と同様にステップ２８０における判定はＮＯとなる。
【０１１２】
しかして、ステップ２８０でＹＥＳと判定されると、ステップ２８１において水平投影用非操作メニューの選択処理がなされる。これに伴い、例えば、水平投影用アラームメニューが、マイクロコンピュータ２０のＲＯＭに記憶してある非操作メニューデータから選択されて読み出され当該マイクロコンピュータ２０のＲＡＭに入力される。
【０１１３】
また、ステップ２８０でＮＯと判定されると、ステップ２８２において垂直投影用非操作メニューの選択処理がなされる。これに伴い、例えば、垂直投影用アラームメニューが、マイクロコンピュータ２０のＲＯＭに記憶してある非操作メニューデータから選択されて読み出され当該マイクロコンピュータ２０のＲＡＭに入力される。
【０１１４】
以上のようにして、水平投影用アラームメニュー或いは垂直投影用アラームメニューが、画像処理回路３０にデータとして出力される。
【０１１５】
すると、当該画像処理回路３０による処理のもと、水平投影用アラームメニュー或いは垂直投影用アラームメニューが、上記第１実施形態と実質的に同様に、スクリーンＳに投影される。
【０１１６】
なお、マイクロコンピュータ２０は、上述のようなステップ２９０における処理後、所定時間を待って、ステップ２２０の処理に戻る。
【０１１７】
以上説明したように、本第２実施形態では、上記第１実施形態にて述べた水平投影用操作メニューＪ及び垂直投影用操作メニューＫだけでなく、共通操作メニューＬも表示できる。従って、より一層プロジェクタの設置状態に適応し見やすく操作し易い操作メニュー表示が可能となる。
【０１１８】
また、本第２実施形態では、操作メニューに加え、非操作メニューについても、操作メニューと同様に、水平投影用非操作メニュー及び垂直投影用非操作メニューだけでなく共通非操作メニューも、表示できる。従って、より一層プロジェクタの設置状態に適応した非操作メニューが表示でき、利用者に親切である。
【０１１９】
なお、本発明の実施にあたり、上記各実施形態や変形例に限ることなく、以下に述べるような各種の変形例が挙げられる。
（１）卓上型プロジェクタに限ることなく、吊り下げ型プロジェクタ等の各種のプロジェクタに本発明を適用してもよい。
（２）ＬＣＤ９０に限ることなく、ＤＭＤ、反射型液晶等の各種の表示素子をプロジェクタに採用してもよい。
（３）本発明のメニュー映像は、プロジェクタの操作メニューに関するものに限定されるものではなく、多様な映像での応用が考えられる。当該メニュー映像は、例えば、プロジェクタの使用に関する注意事項であったり、プロジェクタメーカのロゴやＣＭ（垂直投影時には両横向き或いは反対向きの表示、また、水平投影時には通常表示であってもよい）であったりしてもよく、プロジェクタ内で生成され投影方向（或いは、プロジェクタの設置重力方向）で表示内容を異ならしめるような画像であればよい。
【０１２０】
また、メニュー映像は、外部から入力され表示される入力映像と切り換えて表示される場合で説明してきたが、上記入力映像が透過で見えるように重ねて（合成して）表示する等多様な形態で表示可能である。
（４）上記第２実施形態では、非操作メニューを上記確認キーを押すことで呼び出しているが、例えば、ステップ２００におけるランプ点灯後所定時間の経過を待って映像が表示可能になって、以降すぐ、非操作メニュー表示のステップに入るようにしてもよく、所定の条件を設定し非操作メニューのステップに入るようにすればよい。この場合、使用上の注意などを表示すると効果的である。
【０１２１】
また、この場合、電源オン後、映像表示が可能となる前に重力検知が行われその重力状態に対応する注意事項が表示される。この注意事項は、例を挙げれば、垂直投影時にはスクリーン面での輝度が下がる旨を注意して輝度を上げるように指示し、かつ外光を下げるように指示する等のことをいい、また、水平投影時には輝度が大きいので、この輝度を下げるように調整するとともに、外光の輝度を上げるように指示する等のことをいう。
（５）上記各実施形態に限らず、ランプ点灯制御処理、このランプ点灯制御処理後所定時間を待って行う映像出力指令処理、検出重力方向入力処理、検出重力方向に基づく水平投影或いは垂直投影の判定処理、対応するメニュー映像の表示処理（水平投影であれば水平投影時の注意事項、垂直投影であれば垂直投影時の注意事項）、一定時間表示されたらその後メニュー映像を消して通常通り入力映像を表示する処理を順次行い、その後、操作入力あれば、図４ステップ２２０の処理へ移行するようにしてもよい。
【０１２２】
なお、水平投影メニューや垂直投影メニューは共通メニューのあとに表示されてもよいし、同様に、水平投影非操作メニューや垂直投影非操作メニューは共通非操作メニューのあとに表示されてもよい。
（６）上述した共通メニューキーの具体例としては、上記第２実施形態でも述べたが、電源オン／オフ／スタンバイ等を指示するキー（電源キー）やタイマー設定キーなど投影方向に依存しないメニューを表示させるキーであれば何でもよく操作パネルＰに設けてもよいし、他の場所に設けてもよい。
（７）上記各実施形態では、検出した重力方向に基づきプロジェクタの投影方向を判定するようにしたが、プロジェクタに投影部の回転手段を設け、当該プロジェクタを机上上に置き寝かせて設置しその投影方向を変えて利用したり、向きを自由に設定できるような設置手段に固定する場合においては、重力方向とプロジェクタの基準軸との間で色々な関係が存在するので、プロジェクタの投影方向と見る人との位置関係でメニューが変わることを考慮して、プロジェクタの投影方向を判定することが望ましい。
【図面の簡単な説明】
【０１２３】
【図１】本発明に係る卓上型プロジェクタの第１実施形態を示す概略断面図である。
【図２】図１のプロジェクタを机上に立設した状態を示す斜視図である。
【図３】上記第１実施形態におけるブロック回路構成図である。
【図４】図３のマイクロコンピュータの作用を示すフローチャートである。
【図５】上記第１実施形態において、（ａ）は、マイクロコンピュータのＲＯＭに記憶される水平投影用操作メニューをデータとして示す図であり、（ｂ）は、マイクロコンピュータのＲＯＭに記憶される垂直投影用操作メニューをデータとして示す図である。
【図６】上記第１実施形態におけるスクリーン上の水平投影例示図である。
【図７】上記第１実施形態における水平投影用操作メニューのスクリーンに対する投影例示図である。
【図８】上記第１実施形態におけるスクリーン上の水平投影の分割表示例示図である。
【図９】上記第１実施形態における垂直投影例示図である。
【図１０】上記第１実施形態における垂直投影用操作メニューのスクリーンに対する投影例示図である。
【図１１】本発明の第２実施形態におけるフローチャートの前段部である。
【図１２】当該フローチャートの後段部である。
【図１３】（ａ）、（ｂ）及び（ｃ）は、それぞれ、上記第２実施形態においてマイクロコンピュータのＲＯＭに記憶される共通メニュー、水平投影用操作メニュー及び垂直投影用操作メニューをデータとして示す図である。
【符号の説明】
【０１２４】
Ｅ…結像光学系、Ｈ…ハウジング、Ｈ２…開口部、Ｐ…操作パネル、
Ｓ…スクリーン、Ｕ…制御ユニット、２０…マイクロコンピュータ、
２０ａ…重力センサ、７０…ランプ、８０…照明光学系、１２０…投影レンズ。
【図１】
2006262037.tif 000003
【図２】
2006262037.tif 000004
【図３】
2006262037.tif 000005
【図４】
2006262037.tif 000006
【図５】
2006262037.tif 000007
【図６】
2006262037.tif 000008
【図７】
2006262037.tif 000009
【図８】
2006262037.tif 000010
【図９】
2006262037.tif 000011
【図１０】
2006262037.tif 000012
【図１１】
2006262037.tif 000013
【図１２】
2006262037.tif 000014
【図１３】
2006262037.tif 000015